(57)【要約】【課題】波に流されない位置決めの作用を有し、位置が明確に確認でき、且つ魚が食い付いたことを確実に認識できる魚釣り用の浮きを提供する。【解決手段】円形のハウジングであって、内部に隔壁を設けてセンサ手段を収納する収納溝を形成し、且つ該収納溝の略中央の位置に中空の凸柱体を形成し、底面の外部表面の該凸柱体に対応する位置には外周面に螺刻した中空の連結柱休を設けたべースと、透過性の材質で形成する円形ハウジングであるべースカバーと、中空の柱状体の内壁に螺刻し、底面に孔部を穿設してなり、該連結柱体に螺着させる底面キャップと、該べースとべースカバーとの接合部に嵌着するパッキングと、該べースの内部空間内に設けられる電池ボックスと、該電池ボックス上に設けられ、異なる色の複数の発光体を有する発光手段と、該電池ボックスの下方に設けられるセンサ手段とによって構成する。【選択図】図１
0003102758.tif 000002
【実用新案登録請求の範囲】
【請求項１】
円形のハウジングであって、内部に隔壁を設けてセンサ手段を収納する収納溝を形成し、且つ該収納溝の略中央の位置に中空の凸柱体を形成し、底面の外部表面の該凸柱体に対応する位置には外周面に螺刻した中空の連結柱体を設けてなるべースと、
透過性の材質によって形成される円形のハウジングであるべースカバーと、
中空の柱状を呈し、内壁に螺刻するとともに、底面に孔部を穿設してなり、該べースの庭面に形成する連結柱体に螺着させる底面キャップと、
該べースと該べースカバーとの接合部に嵌着するパッキングと、
該べースと該べースカバーとの間に形成される空間内に設けられ、必要とする電力を供給する電池の収納に供する電池ボックスと、
該電池ボックス上に設けられ、異なる色の複数の発光体を有する発光手段と、
該電池ボックスの下方に設けられるセンサ手段とを含んでなり、
魚が餌に食い付く動作を該センサ手段で感知し、該発光手段に設けられた一発光体を発光させて警告信号とするとともに、該発光手段に設けられた他の発光体を発光させて位置を認識するための照明用の光線とするように構成することを特徴とする魚釣り用の浮き。
【請求項２】
前記べースの底面を平坦に形成することを特徴とする請求項１に記載の魚釣り用の浮き。
【請求項３】
前記発光手段は、回路が印刷され、且つ複数の発光体を具えてなる発光回路ボードと、該発光回路ボード上を覆うように設けられる固定座とによってなり、該固定座には該発光回路ボードに設けた複数の発光体に対応する位置にそれぞれ貫通孔を穿設し、該発光体の一端が対応する貫通孔を貫通して凸設されることを特徴とする請求項１に記載の魚釣り用の浮き。
【請求項４】
前記複数の発光体は、色の異なる２種類の発光体を選択し、該発光手段の中央に取り付け位置をやや高くして魚が餌に食い付く動作を感知し発光する赤色の発光体を設け、該赤色の発光体の周囲に位置を認識するための照明用の光線を照射する複数の青色の発光体を設けることを特徴とする請求項１、もし<は請求項３に記載の魚釣り用の浮き。
【請求項５】
前記センサ手段は、該電池ボックスの下方に設けられ、センサ回路ボードと、該センサ回路ボードの底面に設けられるセンサコイルと、センサ軸と、弾性体とによってなり、該センサ回路ボードは該べース内に隔壁を設けて形成される収納溝内に嵌設し、該センサコイルは、該べースに形成する凸柱体の外周面を覆うように冠着し、該センサ軸は該弾性体に挿入して該べース底面の連結柱体内に収納し、且つ一端が該連結柱体に螺合させる底面キャップの底面に穿設した孔部を貫通して外部に露出し、該露出する一端を釣り針の連結に供することを特徴とする請求項１に記載の魚釣り用の浮き。
【請求項６】
前記弾性体は釣りの対象となる魚の大きさ、重量などに合わせ適宜な弾性を有するものを選択して用いることを特徴とする請求項５に記載の魚釣り用の浮き。
【考案の詳細な説明】
【技術分野】
【０００１】
この考案は、魚釣り用の浮きに関するものである。
【背景技術】
【０００２】
魚釣りは忍耐力を養成するために最も好ましいレジャーとされる。魚が針に掛かるまで我慢強く静かに待たなければならない。この魚が針に掛かるまで待つ過程は無味乾燥なものであるが、一旦魚が針に掛かった場合、その瞬間の喜びは体験者でなければ味わえない。よって、ますます多くの人が魚釣りの醍醐味を味わうようになってきた。一般にケミホタル(登録商標、登録第1575968号)と称する発光体は、魚が針に掛かったことを信号として知らせる作用を具え、且つ発光することによってその位置を認識できる作用を有し、釣堀であろうと、海釣り、もしくは川釣りであろうと浮きとともに魚釣りの必需品とされている。よって、釣り場の大きさ、もし<は釣りの対象となる魚に合わせた様々な浮きとケミホタル(登録商標)が開発されている。特に、夜釣りにおいては両者を併用することによって、浮きに現れる魚が食い付いた場合の動きをはっきりと確認することができる。
【０００３】
但し、従来の浮きは円筒形状を呈する。係る形状の浮きは位置決め作用を具えていなく、容易に波に流され岸に漂流する場合がある。また、浮きの位置が遠く離れているか、使用者が弱視であるか、もしくはケミホタル(登録商標)が発光しなくなったり外れて落ちたりした場合、魚が食い付いたことを明確に認識するための何ら依拠もなくなる。このため、魚が食い付いたことを即時識別して知り得ることができな<なり、魚を釣り上げる機会を失することになる。また、発光しなくなったケミホタル(登録商標)は重複して使用することができない。これを廃棄すると環境保全上の問題が容易に発生する。従って、ケミホタル(登録商標)を併用して魚が食い付いたことを知らせる浮きは位置決めの機能がないのみならず、魚が食い付いたことを明確に知らせることができなくなる場合があり、しかも別途ケミホタル(登録商標)を設けなければならず、両者を効率良く整合させることができない。よって、実際に使用する場合、使用者のニーズに応えることができず、改良の余地を有する。
【考案の開示】
【考案が解決しようとする課題】
【０００４】
この考案は、波に流されることのない位置決めの作用を有する浮きを提供することを課題とする。
【０００５】
またこの考案は、一般にケミホタル(登録商標)と称する発光体を用いることな<、浮きの位置が明確に確認でき、且つ魚が食い付いたことを確実に認識できる浮きを提供することを課題とする。
【課題を解決するための手段】
【０００６】
そこで、本考案者は従来の技術に見られる欠点に鑑み鋭意研究を重ねた結果、底面が平坦に形成され、ハウジングとなるべースと、透過性の材質によってなり、該べース上に設けるべースカバーとによって構成するとともに、該べースとべースカバーとによって形成される内部空間に、一端が該べースカバーの底面から外部に露出するセンサ軸、該センサ軸を感知するセンサコイル、及びセンサ回路ボードを含んでなるセンサ手段と、２種類の異なる色の発光体を複数具え該センサ手段の制御によって発光する発光手段と、該センサ手段、及び発光手段に電力を供給するための電池を収納する電池ボックスを設けてなる浮きの構造によって課題を解決できる点に着眼し、かかる知見に基づいて本発明を完成させた。
【０００７】
以下、この考案について具体的に説明する。
請求項１に記載する魚釣り用の浮きは、円形のハウジングであって、内部に隔壁を設けてセンサ手段を収納する収納溝を形成し、且つ該収納溝の略中央の位置に中空の凸柱休を形成し、底面の外部表面の該凸柱体に対応する位置には外周面に螺刻した中空の連結柱体を設けてなるべースと、透過性の材質によって形成される円形のハウジングであるべースカバーと、中空の柱状を呈し、内壁に螺刻するとともに、底面に孔部を穿設してなり、該べースの底面に形成する連結柱体に螺着させる底面キャップと、
該べースと該べースカバーとの接合部に嵌着するパッキングと、
該べースと該べースカバーとの間に形成される空間内に設けられ、必要とする電力を供給する電池の収納に供する電池ボックスと、
該電池ボックス上に設けられ、異なる色の複数の発光体を有する発光手段と、
該電池ボックスの下方に設けられるセンサ手段とを含んでなり、
魚が餌に食い付く動作を該センサ手段で感知し、該発光手段に設けられた一発光体を発光させて警告信号とするとともに、該発光手段に設けられた他の発光体を発光させて位置を認識するための照明用の光線とするように構成する。
【０００８】
請求項２に記載する魚釣り用の浮きは、請求項１におけるべースの底面を平坦に形成する。
【０００９】
請求項３に記載する魚釣り用の浮きは、請求項１における発光手段が、回路が印刷され、且つ複数の発光体を具えてなる発光回路ボードと、該発光回路ボード上を覆うように設けられる固定座とによってなり、該固定座には該発光回路ボードに設けた複数の発光体に対応する位置にそれぞれ貫通孔を穿設し、該発光体の一端が対応する貫通孔を貫通して凸設される。
【００１０】
請求項４に記載する魚釣り用の浮きは、請求項１、もしくは請求項３における複数の発光体が、色の異なる２種類の発光体を選択し、該発光手段の中央に取り付け位置をやや高くして魚が餌に食い付く動作を感知し発光する赤色の発光体を設け、該赤色の発光体の周囲に位置を認識するための照明用の光線を照射する複数の青色の発光体を設ける。
【００１１】
請求項５に記載する魚釣り用の浮きは、請求項１におけるセンサ手段が、該電池ボックスの下方に設けられ、センサ回路ボードと、該センサ回路ボードの底面に設けられるセンサコイルと、センサ軸と、弾性体とによってなり、該センサ回路ボードは該べース内に隔壁を設けて形成される収納溝内に嵌設し、該センサコイルは、該べースに形成する凸柱体の外周面を覆うように冠着し、該センサ軸は該弾性体に挿入して該べース底面の連結柱体内に収納し、且つ一端が該連結柱体に螺合させる底面キャップの底面に穿設した孔部を貫通して外部に露出し、該露出する一端を釣り針の連結に供する。
【００１２】
請求項６に記載する魚釣り用の浮きは、請求項５における弾性体は釣りの対象となる魚の大きさ、重量などに合わせ適宜な弾性を有するものを選択して用いる。
【考案の効果】
【００１３】
本考案の魚釣り用の浮きは、波に流されることのない位置決めの作用を有するとともに、浮きの位置が明確に確認でき、且つ魚が食い付いたことを確実に認識できる。更に一般にケミホタル(登録商標)と称する発光体を用いることないため、ケミホタル(登録商標)などの発光体を廃棄することによって発生する環境保全上の問題を未然に防ぐという利点を有する。
【考案を実施するための最良の形態】
【００１４】
この考案は、魚釣り用の浮きを提供するものであって、底面が平坦に形成され、ハウジングとなるべースと、透過性の材質によってなり、該べース上に設けるべースカバーとによって構成するとともに、該べースとべースカバーとによって形成される内部空間に、一端が該べースカバーの底面から外部に露出するセンサ軸、該センサ軸を感知するセンサコイル、及びセンサ回路ボードを含んでなるセンサ手段と、２種類の異なる色の発光体を複数具え該センサ手段の制御によって発光する発光手段と、該センサ手段、及び発光手段に電力を供給するための電池を収納する電池ボックスを設けて構成し、浮きが波に流されることのない位置決めの作用を得るとともに、浮きの位置が明確に確認でき、且つ魚が食い付いたことを確実に認識できるという目的を、実現した。
係る構成の魚釣り用の浮きについて、その構造と特徴を詳述するために具体的な実施例を挙げ、以下に説明する。
【実施例】
【００１５】
図１に、この考案による浮き(１)を開示する。図面によれば、その構造はべース(１０)と、べースカバー(２０)と、底面キャップ(３０)と、防水用のパッキング(４０)と、電池ボックス(５０)と、発光手段(６０)と、センサ手段(７０)とによってなる。
【００１６】
べース(１０)は、円形のハウジングであって、内部に隔壁を設けてセンサ手段(７０)を収納する収納溝(１０１)を形成し、該収納溝(１０１)の略中央の位置に中空の凸柱体(１０２)を形成する。また、べース(１０)の底面であって、該凸柱体(１０２)に対応する位置に中空の連結柱体(１０３)を設ける。該連結柱体(１０３)内には、センサコイル(７０２)が収納される。更に該連結柱体(１０３)は外周面に螺刻し、内壁に螺刻した底面キャップ(３０)を螺着させる。べース(１０)は底面を平坦な面とする。かかる設計は浮き(１)に位置決め作用を与えるものであって、波によって海岸線に流されることを防ぐ目的を達成することができる。
【００１７】
べースカバー(２０)は、円形のハウジングであって、発光手段(６０)の中央部、及びその周囲に設けられた発光体(６０２)から照射される赤色、及び青色の光線を透過させるために透過性の材質によって形成する。
赤色の光線は警告のための信号であって、青色の光線は浮き(１)の位置を認識するための照明用の光線となる。
【００１８】
底面キャップ(３０)は、中空の柱状を呈するキャップであって、内壁に螺刻するとともに、底面に孔部を穿設し、べース(１０)の底面に形成する連結柱体(１０３)に螺着させる。
【００１９】
パッキング(４０)は、べース(１０)とべースカバー(２０)との接合部に嵌着し、好ましい防水効果を提供する。
【００２０】
電池ボックス(５０)は、べース(１０)とべースカバー(２０)との間に形成される空間内に設けられ、発光手段(６０)とセンサ手段(７０)が必要とする電力を供給する電池を収納する。
【００２１】
発光手段(６０)は、電池ボックス(５０)を跨ぐように設けられ、発光回路ボード(６０１)と、例えば発光ダイオードなどである複数の発光体(６０２)と、固定座(６０３)とによってなる。該発光回路ボード(６０１)は回路が印刷されたプリントボードであって、更に複数の発光体(６０２)を設けてなる。発光体(６０２)は２色の発光体を選択し、発光回路ボード(６０１)の略中央の位置にやや高くして赤色の光線を照射する発光体(６０２)を設け、その周囲に複数の青色の発光体(６０２)を設ける。赤色の光線は魚が餌に食い付いた場合の警告信号となるものであって、魚が餌に食い付かない状態においては青色の光線が照射される。該固定座(６０３)は、上面の発光回路ボード(６０１)に設けた発光体(６０２)に対応する位置に複数の貫通孔(６０４)を穿設し、発光回路ボード(６０１)上を覆うように設ける。このため、発光回路ボード(６０１)が固定座(６０３)に固定され、発光体(６０２)は一端が対応する貫通孔(６０４)を貫通して凸設される。
【００２２】
センサ手段(７０)は、電池ボックス(５０)の下方に設けられ、センサ回路ボード(７０１)と、該センサ回路ボード(７０１)の底面に設けられるセンサコイル(７０２)と、センサ軸(７０３)と、弾性休(７０４)とによって構成する。センサ回路ボード(７０１)はべース(１０)内に隔壁を設けて形成される収納溝(１０１)内に嵌設する。この場合、センサコイル(７０２)は、凸柱体(１０２)の外周面を覆うように冠着される。
センサ軸(７０３)は弾性体(７０４)に挿入し、且つべース(１０)底面の連結柱体(１０３)内に収納する。
この状態において、底面キャップ(３０)を連結柱体(１０３)に螺合させると、センサ軸(７０３)は一端が連結柱体(１０３)の底面に穿設した孔部を貫通して外部に露出し、他端が弾性体(７０４)の端縁部に当接する。弾性体(７０４)は一端が連結柱体(１０３)の底面に当接し、連結柱体(１０３)の孔部から外れることがない。よって、センサ軸(７０３)は弾性体(７０４)に挿入し、連結柱体(１０３)内に摺動自在に設けられる。また、センサ軸(７０３)の外部に露出する一端は釣り針を連結するために供する。更に、弾性体(７０４)は釣りの対象となる魚の大きさ、重量などに合わせ適宜な弾性を有するものを選択して用いる。
【００２３】
以上の部材を組み立てることによって、図３に開示する浮き(１)を構成することができる。即ち、位置決めが容易で、魚が餌に食い付くと光線による信号を発し、且つ照明の機能を具えた浮きである。係る浮き(１)を実際に使用する場合、べース(１０)の底面が平坦に形成されるため、浮き(１)が波に流され海岸に漂流することがない。即ち、位置決めの作用を有する。また、魚が餌に食い付くと、センサ手段(７０)のセンサ軸(７０３)が下方に引かれる。この場合、センサ軸(７０３)がセンサコイル(７０２)の反応範囲を離れ、発光手段(６０)の中央に設けた発光体(６０２)から赤色の光線が照射される。その外周に設けられた複数の発光体(６０２)は継続して青色の光線を照射する。魚が餌に食い付かない状態において、発光手段(６０)の中央の位置に設けられた発光休(６０２)は赤色の光線を照射することなく、その周りに設けられた複数の発光体(６０２)が継続的に青色の光線を照射する。係る浮き(１)の位置決めの効果と、発光手段(６０)の中央と、その周りに設けられた色の異なる発光体(６０２)との組み合わせ(青色光線と赤色光線はその位置を交換してもよい)による警告信号と照明効果によって、浮きが波に流されて岸に戻ることなく、且つ浮きの位置を正確に認識することができ、更に魚が餌に食い付いたことを視覚から容易に判別できるため、夜釣りをはじめとして、一般の魚釣りに広く用いることができ、実用的で便利である。
【００２４】
以上はこの考案の好ましい実施例であって、この考案の実施の範囲を限定するものではない。よって、当業者のなし得る修正、もしくは変更であって、この考案の精神の下においてなされ、この考案に対して均等の効果を有するものは、いずれも本考案の実用新案登録請求の範囲に属するものとする。
【図面の簡単な説明】
【００２５】
【図１】この考案による浮きのそれぞれの部材を示した分解図である。
【図２】図１に開示する浮きの内部構造を示した説明図である。
【図３】図１に開示する浮きの外観を示した斜視図である。
【符号の説明】
【００２６】
１  浮き
１０  ベース
１０１  収納溝
１０２  凸柱体
１０３  連結柱体
２０  ベースカバー
３０  底面キャップ
４０  パッキング
５０  電池ボックス
６０  発光手段
６０１  発光回路ボード
６０２  発光体
６０３  固定座
６０４  貫通孔
７０  センサ手段
７０１  センサ回路ボード
７０２  センサコイル
７０３  センサ軸
７０４  弾性体
【図１】
0003102758.tif 000003
【図２】
0003102758.tif 000004
【図３】
0003102758.tif 000005